(57)【要約】【課題】水浄化システムに使用される固形薬剤供給装置において、原水が固形薬剤と接触し易い構成とすることで、薬剤濃度を安定化させることを目的とする。【解決手段】固形薬剤供給装置１において、固形薬剤収納部３を構成する支持体６の容器部６ａに立上壁６ｄを備え、部材４は、立上壁６ｄの上方において立上壁６ｄに接続され、かつ排出孔４ｂを有する筒状部４ａを有するという構成にしたことにより、支持体６を通過し流入した水が仕切板５の上面に設置されている水溶性の固形薬剤８に接触することなく排出孔４ｂから流出することを抑制した固形薬剤供給装置１を得られる。【選択図】図２
2020131173.tif 000002
【特許請求の範囲】
【請求項１】
ポンプで供給される原水に水溶性の固形薬剤を溶出させて薬剤溶液を生成する固形薬剤供給装置であって、
土台部分に前記原水を受け取る取水口と前記薬剤溶液を排出する排水口を有し、頂部に筐体蓋を有した筐体と、
前記筐体の内部に配された固形薬剤収納部と、を備え、
前記固形薬剤収納部は、支持体、仕切板、部材、を有し、
前記支持体は、前記取水口と接続されるパイプ部と、前記パイプ部の上部に接続される容器部とを有し、
前記容器部は、開口を有する底面と、前記底面の周囲から上方に立ち上がる立上壁とを有し、
前記仕切板は、前記容器部の内部を上下に仕切り、かつ前記固形薬剤を載置できる板であり、前記原水の透過が可能な貫通孔を有し、
前記部材は、前記立上壁の上方において前記立上壁に接続され、かつ排出孔を有する筒状部を有することを特徴とする固形薬剤供給装置。
【請求項２】
前記支持体の前記容器部の前記立上壁は、上面に部材接触面を有し、
前記部材は、前記筒状部の内側に支持体接触面を有し、
前記部材接触面と前記支持体接触面は接触し、
前記排出孔は、前記立上壁の前記上面よりも上に位置していることを特徴とする請求項１に記載の固形薬剤供給装置。
【請求項３】
仕切板は、前記固形薬剤を載置できる載置面と、前記載置面の周囲から上方に立ち上がる補強部とを有することを特徴とする請求項１または２に記載の固形薬剤供給装置。
【請求項４】
前記補強部は、ガイド用切欠を有することを特徴とする請求項３に記載の固形薬剤供給装置。
【請求項５】
前記容器部は、つめ部を有し、
前記補強部は、前記つめ部に係合するつめ部用切欠を有することを特徴とする請求項４に記載の固形薬剤供給装置。
【請求項６】
前記仕切板は、前記固形薬剤を載置できる載置面と、前記載置面の反対側に容器部接触面とを有し、
前記支持体の前記容器部の前記立上壁は、第１立上壁と、前記第１立上壁よりも上方に位置する第２立上壁と、内側において前記第１立上壁と前記第２立上壁との間に設けられる仕切板接触面とを有し、
前記容器部接触面と前記仕切板接触面は接触することを特徴とする請求項１〜５の何れか１項に記載の固形薬剤供給装置。
【請求項７】
前記部材は、前記排出孔から排出された水を案内するガイド部を有することを特徴とする請求項１〜６の何れか１項に記載の固形薬剤供給装置。
【発明の詳細な説明】
【技術分野】
【０００１】
本発明は、井戸や貯水槽等から汲み上げた原水（被処理水）に対して酸化剤などの薬剤の添加処理を行う場合に、固形薬剤を溶出させながら原水に供給する固形薬剤供給装置に関するものである。
【背景技術】
【０００２】
従来、水処理装置において、酸化剤を供給して、浄水処理対象となる原水を酸化させることが行われている。
【０００３】
酸化剤を供給する固形薬剤供給装置は、原水を固体の酸化剤に接触させるものが用いられている。
【０００４】
例えば、井戸水を浄水処理する場合には、固体の次亜塩素酸カルシウムに井戸水を接触させて、固体の次亜塩素酸カルシウムを徐々に井戸水に溶出させていた。
【０００５】
以下、固形薬剤供給装置について図１２を参照しながら説明する。
【０００６】
図１２に示す固定薬剤供給装置１０１は、取水口１０２から原水を流入させて水溶性固形薬剤１０３に接触させるものである。原水の流量が増えた場合でも、薬剤接触槽１０４内の水位が上昇し、原水を接触させる水溶性固形薬剤１０３の量を増加させることが可能である。すなわち、原水の流量が増加したときには薬剤溶出量が増加し、薬剤濃度の低下を抑えることが可能である（例えば、特許文献１参照）。
【先行技術文献】
【特許文献】
【０００７】
【特許文献１】実開昭５６−１７２３９２号公報
【発明の概要】
【発明が解決しようとする課題】
【０００８】
このような従来の薬剤供給装置においては、長期に使用した場合、固形薬剤が接触槽の内壁面に固着してしまうために、固形薬剤が原水と接触する位置まで下がってこなくなり、原水に固形薬剤を安定して供給できなくなるという課題を有していた。
【０００９】
そこで、本発明は、上記従来の課題を解決するものであり、取水口から流入した原水が固形薬剤に接触し易い構造とすることで、長期に使用した場合であっても、原水に固形薬剤を安定して供給できる固形薬剤供給装置を提供することを目的とする。
【課題を解決するための手段】
【００１０】
そして、この目的を達成するために、本発明の一態様に係る固形薬剤供給装置は、ポンプで供給される原水に水溶性の固形薬剤を溶出させて薬剤溶液を生成する固形薬剤供給装置であって、土台部分に前記原水を受け取る取水口と前記薬剤溶液を排出する排水口を有し、頂部に筐体蓋を有した筐体と、前記筐体の内部に配された固形薬剤収納部と、を備え、前記固形薬剤収納部は、支持体、仕切板、部材、を有し、前記支持体は、前記取水口と接続されるパイプ部と、前記パイプ部の上部に接続される容器部とを有し、前記容器部は、開口を有する底面と、前記底面の周囲から上方に立ち上がる立上壁とを有し、前記仕切板は、前記容器部の内部を上下に仕切り、かつ前記固形薬剤を載置できる板であり、前記原水の透過が可能な貫通孔を有し、前記部材は、前記立上壁の上方において前記立上壁に接続され、かつ排出孔を有する筒状部を有する固形薬剤供給装置としたものであり、これにより所期の目的を達成するものである。
【発明の効果】
【００１１】
本発明によれば、原水に固形薬剤を安定して供給できる固形薬剤供給装置を得ることができる。
【図面の簡単な説明】
【００１２】
【図１】本発明の実施の形態１の水浄化システムの全体概略図
【図２】本発明の実施の形態１の固形薬剤供給装置の内部を示す断面図
【図３】固形薬剤収納部の斜視図
【図４】部材の断面図
【図５】同部材の外観斜視図
【図６】仕切板の外観斜視図
【図７】同仕切板の別の角度から見た外観斜視図
【図８】支持体の斜視図
【図９】同固形薬剤収納部の分解状態を示す断面図
【図１０】固形薬剤収納部の流路を示す断面図
【図１１】同固形薬剤収納部の別の流路を示す別の断面図
【図１２】従来の固形薬剤供給装置の構成を示す図
【発明を実施するための形態】
【００１３】
本発明の一態様に係る固形薬剤供給装置は、ポンプで供給される原水に水溶性の固形薬剤を溶出させて薬剤溶液を生成する固形薬剤供給装置であって、土台部分に原水を受け取る取水口と薬剤溶液を排出する排水口を有し、頂部に筐体蓋を有した筐体と、筐体の内部に配された固形薬剤収納部と、を備え、固形薬剤収納部は、支持体、仕切板、部材、を有し、支持体は、取水口と接続されるパイプ部と、パイプ部の上部に接続される容器部とを有し、容器部は、開口を有する底面と、底面の周囲から上方に立ち上がる立上壁とを有し、仕切板は、容器部の内部を上下に仕切り、かつ固形薬剤を載置できる板であり、原水の透過が可能な貫通孔を有し、部材は、立上壁の上方において立上壁に接続され、かつ排出孔を有する筒状部を有するという構成を有する。
【００１４】
これにより、取水口から流入した原水が固形薬剤に接触し易い構造とすることで、長期に使用した場合であっても、原水に固形薬剤を安定して供給できる固形薬剤供給装置を提供することができるという効果を奏する。
【００１５】
以下、本発明の実施の形態について図面を参照しながら説明する。
【００１６】
（実施の形態１）
（第１の実施の形態）
井戸や貯水槽等から汲み上げた原水（被処理水）に対して消毒剤などの薬剤の添加処理を行う場合に、本実施の形態に係る固形薬剤供給装置は、固形薬剤を原水へ溶出させて供給するものである。
【００１７】
例えば、井水の除鉄処理を行う水処理システムでは、ろ過前にイオン状の鉄を酸化・析出させる必要がある。その場合には、ろ過装置前の配管に酸化剤を供給する薬剤供給装置を設置して、原水を酸化させるとよい。
【００１８】
図１に示すように、水浄化システム１３は、ポンプ１４とろ過部１５と、また、それらを接続する配管１６を備えている。
【００１９】
図２に示すように、固形薬剤供給装置１は筐体２と固形薬剤収納部３を備えている。
【００２０】
筐体２は、筐体蓋２ａと、シリンダー部２ｂとＯリング２ｃ（オーリング）と土台部分２ｄとを含む。筐体蓋２ａは上蓋２ａ１と中蓋２ａ２とパッキン２ａ３を含む。
【００２１】
固形薬剤収納部３は部材４と仕切板５と支持体６とを含む。Ｏリング７（オーリング）は支持体６と土台部分２ｄとの間に設けられる。
【００２２】
ポンプ１４により、取水口９から取り入れられた原水は固形薬剤収納部３を通過する際に、水溶性の固形薬剤８に接触する。固形薬剤８は原水に接触することで原水に溶出する。溶出した薬剤は水溶液として排水口１０から排出され、配管１６を介してろ過部１５に供給される。
【００２３】
図３に固形薬剤収納部３の斜視図を示しておく。
【００２４】
図４及び図５に示すように、部材４は筒状部４ａを含み、筒状部４ａに排出孔４ｂを有する。
【００２５】
部材４は、支持体６と接触する面である支持体接触面４ｃを筒状部４ａの内側に有していてもよい。
【００２６】
部材４は、支持体６と係合するつめ部用切欠４ｄを有していてもよい。
【００２７】
部材４は、排出孔４ｂから排出される水をガイドするガイド部４ｅを有していてもよい。
【００２８】
図６に示すように仕切板５は、原水が通過する貫通孔５ａを有する。
【００２９】
固形薬剤８は、仕切板５の載置面５ｂに載置される。
【００３０】
仕切板５は、強度を補強するための補強部５ｃを有していてもよい。
【００３１】
仕切板５は、貫通孔５ａ以外（例えば仕切板５の外周側）から流入する原水を載置面５ｂに導くガイド用切欠５ｄを有していてもよい。
【００３２】
仕切板５は、部材４の支持体接触面４ｃと接触する部材接触面５ｅを上面に有していてもよい。
【００３３】
仕切板５は、支持体６と係合するつめ部用切欠５ｆを有していてもよい。
【００３４】
図７に示すように仕切板５は、後述する支持体６の容器部６ａに接触する容器部接触面５ｇを有する。
【００３５】
図８に示すように支持体６は、取水口９と接続されるパイプ部６ｇと、パイプ部６ｇの上部に接続される容器部６ａとを有する。
【００３６】
容器部６ａは、開口２１を有する底面６ｂと、底面６ｂの周囲から上方に立ち上がる立上壁６ｄとを有する。
【００３７】
立上壁６ｄは、第１立上壁６ｄ１と、第１立上壁６ｄ１よりも上方に位置する第２立上壁６ｄ２とを含む。
【００３８】
容器部６ａは、内側において第１立上壁６ｄ１と第２立上壁６ｄ２との間に設けられる仕切板接触面６ｃを有していてもよい。仕切板接触面６ｃは、仕切板５の容器部接触面５ｇと接触する。
【００３９】
立上壁６ｄは、上面に部材接触面６ｅを有していてもよい。部材接触面６ｅと支持体接触面４ｃは接触する。
【００４０】
容器部６ａは、部材４のつめ部用切欠４ｄ及び／又はつめ仕切板５のつめ部用切欠５ｆと係合するつめ部６ｆを有していてもよい。
【００４１】
図９に、固形薬剤収納部３の分解状態を示す断面図を示しておく。
【００４２】
図１０に示すように、取水口９から取り入れられた原水は、パイプ部６ｇのパイプ部流路１１ａ、支持体６の開口２１、仕切板５の貫通孔５ａの貫通孔流路１１ｂを順に通過する。貫通孔５ａから流入した原水は固形薬剤８と接触することで、固形薬剤８が原水に溶出する。
【００４３】
固形薬剤８が溶出した原水は、水溶液となって排出孔４ｂの排出孔流路１１ｃから排出される。
【００４４】
このように、取り入れられた水は、パイプ部流路１１ａ、貫通孔流路１１ｂ、排出孔流路１１ｃで構成される流路１１を通過して排水口１０から排出される。
【００４５】
本実施形態では、特に、部材４の筒状部４ａは、支持体６の容器部６ａの立上壁６ｄの上方において、立上壁６ｄに接続され、かつ排出孔４ｂを有している。
【００４６】
このような構成によれば、取水口９から支持体６を通過して流入した原水が、仕切板５の上面に設置されている固形薬剤８と接触し易くなるため、原水に固形薬剤８を安定して供給（薬剤濃度を安定化）できる固形薬剤供給装置１を提供することができる。
【００４７】
言い換えれば、支持体６を通過し流入した水が仕切板５の上面に設置されている固形薬剤８に接触することなく排水口１０に流出することを抑制した固形薬剤供給装置１を提供することができるのである。
【００４８】
また、立上壁６ｄは、上面に部材接触面６ｅを有し、部材４は、筒状部４ａの内側に支持体接触面４ｃを有し、部材接触面５ｅと支持体接触面４ｃは接触し、排出孔４ｂは、立上壁の上面よりも上に位置していることが好ましい。
【００４９】
この構成によれば、部材４の排出孔４ｂから水が流出する前に、立上壁６ｄの上面まで浸水することになるため、原水が固形薬剤８に接触することなく排水口１０に流出することをさらに抑制することができる。
【００５０】
また、仕切板５は、固形薬剤８を載置できる載置面５ｂと、載置面５ｂの周囲から上方に立ち上がる補強部５ｃとを有することが好ましい。
【００５１】
この構成によれば、仕切板５を部材４の支持体接触面４ｃと支持体６の仕切板接触面６ｃで挟みこんで固定することができるようになるために、振動などに対して、より安定した固形薬剤収納部３を提供することができる。
【００５２】
また、補強部５ｃは、ガイド用切欠５ｄを有することが好ましい。
【００５３】
この構成によれば、仕切板５の補強部５ｃ側から流入してきた水が、部材接触面５ｅを通って、直接排出孔４ｂから排水されることを抑制することができる。すなわち、水が固形薬剤８と接触することなく排出孔４ｂから排水されることを抑制することができる。
【００５４】
ここで、ガイド用切欠５ｄについて詳しく説明する。
【００５５】
ガイド用切欠５ｄがないと、仕切板５の補強部５ｃと支持体６の立上壁６ｄとの隙間を通過した原水が部材接触面５ｅを通過して、固形薬剤８と接触することなく排出孔４ｂから排水されるおそれがある。
【００５６】
図１１に示すように、ガイド用切欠５ｄを有する場合、パイプ部流路３１ａから取り入れられた水は、仕切板５と立上壁６ｄとの隙間３２の隙間流路３１ｂを通過した後に、ガイド用切欠５ｄの切欠流路３１ｃを通過することによって、固形薬剤８に接触し易くすることができる。また、仕切板５の補強部５ｃと支持体６の立上壁６ｄとの隙間を通過することにより上方へ向かう水があったとしても、切欠流路３１ｃを介して固形薬剤８側に水を導くことができる。そして、固形薬剤８に接触した水は排出孔４ｂの排出孔流路３１ｄを通過して排出される。
【００５７】
このように、ガイド用切欠５ｄを有する場合、取り入れられた水は、パイプ部流路３１ａ、隙間流路３１ｂ、切欠流路３１ｃ、排出孔流路３１ｄで構成される流路３１を通過する際に、固形薬剤８を通過し易くすることができるのである。
【００５８】
容器部６ａは、つめ部６ｆを有し、補強部５ｃは、つめ部６ｆに係合するつめ部用切欠５ｆを有することが好ましい。
【００５９】
この構成によれば、載置面５ｂに垂直な軸に対して回転方向に仕切板５を安定して保持することができる。また、つめ部６ｆが部材４のつめ部用切欠４ｄに接触することで、載置面５ｂに垂直な軸に対して回転方向に部材４及び仕切板５を安定して保持することができる。
【００６０】
仕切板５は、固形薬剤８を載置できる載置面５ｂと、その反対側に容器部接触面５ｇとを有し、支持体６の容器部６ａの立上壁６ｄは、第１立上壁６ｄ１と、第１立上壁よりも上方に位置する第２立上壁６ｄ２と、内側において第１立上壁６ｄ１と第２立上壁６ｄ２との間に設けられる仕切板接触面６ｃとを有し、容器部接触面５ｇと仕切板接触面６ｃは接触することが好ましい。
【００６１】
この構成によれば、仕切板５の容器部接触面５ｇと仕切板接触面が６ｃの接触、及び補強部５ｃと第２立上壁６ｄ２の接触によって仕切板５をより安定して保持することができる。
【００６２】
さらに部材４は、排出孔４ｂから排出された水を案内するガイド部４ｅを有するという構成にした方がよい。
【００６３】
この構成によれば、排出孔４ｂから排水された水がガイド部４ｅを伝って排水口１０に流れるため、筐体２内部の空気が水に溶け込むことを抑制することができる。これにより、筐体２内部の水位が上昇することを抑制できるため、原水に固形薬剤８をさらに安定して供給できる。
【００６４】
以上、本発明に係る固形薬剤供給装置について、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００６５】
本発明に係る固形薬剤供給装置は、水の浄化に使用される水処理装置の薬剤供給装置などとして有用である。
【符号の説明】
【００６６】
１    固形薬剤供給装置
２    筐体
２ａ    筐体蓋
２ａ１    上蓋
２ａ２    中蓋
２ａ３    パッキン
２ｂ    シリンダー部
２ｃ    Ｏリング
２ｄ    土台部分
３    固形薬剤収納部
４    部材
４ａ    筒状部
４ｂ    排出孔
４ｃ    支持体接触面
４ｄ    つめ部用切欠
４ｅ    ガイド部
５    仕切板
５ａ    貫通孔
５ｂ    載置面
５ｃ    補強部
５ｄ    ガイド用切欠
５ｅ    部材接触面
５ｆ    つめ部用切欠
５ｇ    容器部接触面
６    支持体
６ａ    容器部
６ｂ    底面
６ｃ    仕切板接触面
６ｄ    立上壁
６ｄ１    第１立上壁
６ｄ２    第２立上壁
６ｅ    部材接触面
６ｆ    つめ部
６ｇ    パイプ部
７    Ｏリング
８    固形薬剤
９    取水口
１０    排水口
１１    流路
１１ａ    パイプ部流路
１１ｂ    貫通孔流路
１１ｃ    排出孔流路
１３    水浄化システム
１４    ポンプ
１５    ろ過部
１６    配管
２１    開口
３１    流路
３１ａ    パイプ部流路
３１ｂ    隙間流路
３１ｃ    切欠流路
３１ｄ    排出孔流路
３２    隙間
１０１    固定薬剤供給装置
１０２    取水口
１０３    水溶性固形薬剤
１０４    薬剤接触槽
【図１】
2020131173.tif 000003
【図２】
2020131173.tif 000004
【図３】
2020131173.tif 000005
【図４】
2020131173.tif 000006
【図５】
2020131173.tif 000007
【図６】
2020131173.tif 000008
【図７】
2020131173.tif 000009
【図８】
2020131173.tif 000010
【図９】
2020131173.tif 000011
【図１０】
2020131173.tif 000012
【図１１】
2020131173.tif 000013
【図１２】
2020131173.tif 000014